(57)【要約】【課題】実時間に入力された動画像信号をシーン毎に適する色補正を行い、その結果を実時間に出力する色補正装置を提案する。【解決手段】フレームヘッダ検出器１は、フレームヘッダ検出部により、実時間に入力された動画像信号のフレームのヘッダを検出し、フレーム番号カウンタに対し最初に初期値を設定し次フレームから１づつ増加させてフレーム番号を算出し、シーン番号選択部により、各フレーム番号に対応するシーン番号を対応表から選択して色変換パラメータ選択器２に送る。色変換パラメータ選択器２は、入力されたシーン番号に適する色補正を行うための色変換パラメータを、シーン番号・色変換パラメータ対応表から選択して色変換器３に送る。色変換器３では、送られた色変換パラメータを用いて入力動画像信号の各フレームに対し色変換処理をしてシーンに適した色補正を行い、その結果を実時間に出力する。【選択図】  図１
2004228734.tif 000002
【特許請求の範囲】
【請求項１】
実時間に動画像信号を入力し、該入力された動画像信号のフレームのヘッダを検出する手段と、
該検出されたフレームのヘッダによって現時点で入力されている動画像信号の当該フレームのシーン番号を算出する手段と、
該算出されたシーン番号に適する色補正を当該フレームに対して行い、その結果を実時間に出力する手段とを備える
ことを特徴とする動画像色補正装置。
【請求項２】
実時間に動画像信号を入力し、動画像信号のタイムコードを検出する手段と、
該検出されたタイムコードに対応するシーン番号を算出する手段と、
該算出されたシーン番号に適する色補正を現時点で入力されている動画像信号のフレームに対して行い、その結果を実時間に出力する手段とを備える
ことを特徴とする動画像色補正装置。
【請求項３】
請求項１または２に記載の動画像色補正装置において、
該出力する手段は、
該算出されたシーン番号に適する色補正を行うための色変換パラメータを予め用意したシーン番号・色変換パラメータ対応表から選択する手段と、
該選択された色変換パラメータを用いて対象フレームを色変換することにより色補正する手段とを備える
ことを特徴とする動画像色補正装置。
【発明の詳細な説明】
【０００１】
【発明の属する技術分野】
本発明は、実時間に入力した動画像信号に対し、動画像信号のそれぞれのシーンに適する色補正を行い、その結果を実時間に出力する装置に関する。
【０００２】
【従来の技術】
スキャナやカメラなどで取り込んだ画像データは、出力装置や用途に応じて色補正を行う必要がある。従来は、静止画像を対象として色補正を行うために、スキャナやカメラなどで取り込まれる動画像信号に対して、１フレーム毎に色補正を行ってきた。
【０００３】
【特許文献１】
特開２００１−９２９５６号公報
【０００４】
【発明が解決しようとする課題】
動画像信号の場合、シーン毎に撮影条件や求められる視覚効果が違うために、それぞれに適する色補正方法が異なる。また、動画像シーケンス全体の色補正結果を見るためには、色補正したシーケンス全体を実時間で表示できることが求められる。上記従来の色補正技術では、動画像信号の１フレーム毎に色補正を行うため、これらの要求に対応することは極めて困難であった。
【０００５】
そこで、本発明は、この問題を解決するために、実時間に入力された動画像信号をシーン毎に適する色補正を行い、その結果を実時間に出力する色補正装置を提案することを課題とする。
【０００６】
【課題を解決するための手段】
上記の課題を解決するために、本発明は、実時間に動画像信号を入力し、該入力された動画像信号のフレームのヘッダを検出する手段と、該検出されたフレームのヘッダによって現時点で入力されている動画像信号の当該フレームのシーン番号を算出する手段と、該算出されたシーン番号に適する色補正を当該フレームに対して行い、その結果を実時間に出力する手段とを備えることを特徴とする動画像色補正装置を、その解決の手段とする。
【０００７】
あるいは、実時間に動画像信号を入力し、動画像信号のタイムコードを検出する手段と、該検出されたタイムコードに対応するシーン番号を算出する手段と、該算出されたシーン番号に適する色補正を現時点で入力されている動画像信号のフレームに対して行い、その結果を実時間に出力する手段とを備えることを特徴とする動画像色補正装置を、その解決の手段とする。
【０００８】
あるいは、上記の動画像色補正装置において、該出力する手段は、該算出されたシーン番号に適する色補正を行うための色変換パラメータを予め用意したシーン番号・色変換パラメータ対応表から選択する手段と、該選択された色変換パラメータを用いて対象フレームを色変換することにより色補正する手段とを備えることを特徴とする動画像色補正装置を、その解決の手段とする。
【０００９】
本発明では、予め色補正情報を装置内に有しておいて、入力動画像信号から各フレームのヘッダを検索し、それによって現時点で入力されている動画像信号の各フレームのシーン番号を算出し、前記色補正情報に基づいて、各フレームが属しているシーンに適する色補正を行い、実時間に出力する。あるいは、入力動画像信号からタイムコードを読み込み、そのタイムコードから動画像信号のシーン番号を算出し、前記色補正情報に基づいて、シーンに適する色補正を現時点で入力されている動画像信号のフレームに対して行い、実時間に出力する。
【００１０】
【発明の実施の形態】
以下、本発明の実施の形態について図を用いて詳細に説明する。
【００１１】
［実施形態１］
図１に本発明の実施形態１による画像フレームヘッダ検出器を用いてシーン毎に適した色補正を行う色補正装置の基本構成を示す。本装置では、各フレームの先頭にヘッダ信号がある入力動画像信号を対象とし、ディジタル画像レコーダやカメラ等から実時間に動画像信号が入力され色補正された動画像信号が出力される。従って、本装置の出力を画像表示装置に接続すれば、色補正した動画像信号を実時間に表示することができる。
【００１２】
本装置は、フレームヘッダ検出器１、色変換パラメータ選択器２、色変換器３から構成される。
【００１３】
図２はフレームヘッダ検出器１の構成図である。フレームヘッダ検出器１は、図２で示す通り、フレームヘッダ検出部１１、フレーム番号カウンタ１２、シーン番号選択部１３、予め用意されたフレーム番号とそのフレームが属するシーン番号の対応表（具体的には、対応表を記憶している記憶部）１４で構成されている。フレームヘッダ検出部１１は、入力動画像信号を構成するフレームのフレームヘッダを検出すると、フレーム番号を算出するフレーム番号カウンタ１２に対して、最初に初期値を設定し、次のフレームから１増加させる。シーン番号選択部１３は、フレーム番号・シーン番号対応表１４を参照してフレーム番号カウンタ１１で算出されたフレーム番号に対応するシーン番号を選択し、色変換パラメータ選択器２へ出力する。
【００１４】
図３は色変換パラメータ選択器２の構成図である。色変換パラメータ選択器２は図３で示す通り、パラメータ選択部２１と、予め用意されたシーン番号とそれに対応する色変換パラメータの対応表（具体的には、対応表を記憶している記憶部）２２で構成されている。パラメータ選択部２１は、シーン番号が入力されると、シーン番号・パラメータ対応表２２を参照して、そのシーンに適する色補正を行うための色変換パラメータを出力する。なお、色変換パラメータのフォーマットは、色変換器３に仕様に依存する。
【００１５】
色変換器３は、色変換パラメータ選択器２から送られた色変換パラメータを用いて入力動画像信号の当該フレームに対し色変換処理することでシーンに適した色補正を行い、その結果を実時間に出力するものである。
【００１６】
上記のように構成された本装置の動作について説明する。
【００１７】
まず、動画像信号の入力が開始され、最初のフレームヘッダをフレームヘッダ検出器１のフレームヘッダ検出部１１が検出したら、フレーム番号カウンタ１２に初期値を設定し、シーン番号選択部１３により、そのフレーム番号に対応するシーン番号を色変換パラメータ選択器２に送る。色変換パラメータ選択器２は、入力されたシーン番号に対応する色変換パラメータを、パラメータ選択部２１によりシーン番号・パラメータ対応表２２から選択して色変換器３に送る。色変換器３では、送られたパラメータを用いて入力動画像信号の当該フレームに対し色変換処理をして色補正を行い、その結果を実時間に出力する。
【００１８】
続いて、フレームヘッダ検出器１のフレームヘッダ検出部１１が次のフレームヘッダを検出すると、フレーム番号カウンタ１２を１増加させ、シーン番号選択部１３により、そのフレーム番号に対応するシーン番号を色変換パラメータ選択器２に送る。色変換パラメータ選択器２は、入力されたシーン番号に対応する色変換パラメータを、パラメータ選択部２１によりシーン番号・パラメータ対応表２２から選択して色変換器３に送る。色変換器３では、送られたパラメータを用いて入力動画像信号の当該フレームに対し色変換処理をして色補正を行い、その結果を実時間に出力する。
【００１９】
以上を、動画像信号の入力が終了するまで繰り返す。
【００２０】
［実施形態２］
本実施形態では、実施形態１のフレームヘッダ検出器の代わりに、動画像信号のタイムコード検出器を用いる。入力信号としては、タイムコードを含む動画像信号を対象とする。本実施形態による色補正装置の構成を図４に示す。本装置は、色変換パラメータ選択器２、色変換器３、タイムコード検出器４から構成されるが、色変換パラメータ選択器２、色変換器３の構成は、実施形態１と同様である。
【００２１】
本装置のタイムコード検出器４は、図５に示す通り、タイムコード検出部４１と、シーン番号選択部４２と、タイムコード・シーン番号対応表（具体的には、対応表を記憶している記憶部）４３とで構成されている。タイムコード検出部４１は、動画像信号からタイムコードを検出する。シーン番号選択部４２は、タイムコード・シーン番号対応表４３を参照してタイムコードに対応したシーン番号を出力する。
【００２２】
次に、本装置の動作について説明する。動画像信号の入力が開始されると、タイムコード検出器４のタイムコード検出部４１は、動画像信号からタイムコードを読み取り、シーン番号選択部４２によりタイムコードに対応したシーン番号を算出して、色変換パラメータ選択器２に送る。色変換パラメータ選択器２は、入力されたシーン番号に対応する色変換パラメータを、パラメータ選択部２１によりシーン番号・パラメータ対応表２２から選択して色変換器３に送る。色変換器３では、送られたパラメータを用いて現時点で入力されている動画像信号のフレームに対し色変換処理をして色補正を行い、その結果を実時間に出力する。
【００２３】
以上を、動画像信号の入力が終了するまで繰り返す。
【００２４】
【発明の効果】
以上に説明で明らかなように本発明によれば、入力した動画像信号をシーン毎に適した色補正を行い、実時間に出力して表示することが可能となる。
【図面の簡単な説明】
【図１】本発明の実施形態１による色補正装置の基本構成図である。
【図２】実施形態１におけるフレームヘッダ検出器の構成図である。
【図３】実施形態１における色変換パラメータ選択器の構成図である。
【図４】本発明の実施形態２による色補正装置の基本構成図である。
【図５】実施形態２におけるタイムコード検出器の構成図である。
【符号の説明】
１…フレームヘッダ検出器
１１…フレームヘッダ検出部
１２…フレーム番号カウンタ
１３…シーン番号選択部
１４…フレーム番号・シーン番号対応表
２…色変換パラメータ選択器
２１…パラメータ選択部
２２…シーン番号・パラメータ対応表
３…色変換器
４…タイムコード検出器
４１…タイムコード検出部
４２…シーン番号選択部
４３…タイムコード・シーン番号対応表
【図１】
2004228734.tif 000003
【図２】
2004228734.tif 000004
【図３】
2004228734.tif 000005
【図４】
2004228734.tif 000006
【図５】
2004228734.tif 000007